(57)【要約】【課題】ホットプレート用収納ホルダにおいて、コントローラや電源コードが損傷しないように収納すること【解決手段】一対の第１、第２ホルダ３１，３２を有し、両ホルダ３１，３２で形成される空間部に、ホットプレート本体と、該ホットプレート本体に載置される１以上のホットプレート部品を収納するホットプレート用収納ホルダ３０であって、ホットプレートの温度を調整するコントローラ１３を収納するコントローラ収納部が空間部に設けられている。【選択図】  図７
2010136998.tif 000002
【特許請求の範囲】
【請求項１】
一対の第１、第２ホルダを有し、両ホルダで形成される空間部に、ホットプレート本体と、該ホットプレート本体に載置される１以上のホットプレート部品を収納するホットプレート用収納ホルダであって、
ホットプレートの温度を調整するコントローラを収納するコントローラ収納部が前記空間部に設けられていることを特徴とするホットプレート用収納ホルダ。
【請求項２】
前記第１、第２ホルダには、一方に延在する収納延在部と、さらに一方に延在する取手延在部とを設け、前記取手延在部に取手と、手を挿入する手挿入孔とを設け、前記コントローラは、凸部となる操作部を有し、前記コントローラ収納部は、前記操作部の収納位置が前記取手延在部の前記手挿入孔に隣接する位置に形成されていることを特徴とする請求項１に記載のホットプレート用収納ホルダ。
【請求項３】
前記第１、第２ホルダは、それぞれ前記コントローラの外形形状の凹部が形成されたリブを有し、前記コントローラの上下が前記凹部に嵌入されることにより２軸方向が拘持されていることを特徴とする請求項２に記載のホットプレート用収納ホルダ。
【請求項４】
前記コントローラに電源を供給する電源コードを収納する電源コード収納部が前記空間部に設けられていることを特徴とする請求項２に記載のホットプレート用収納ホルダ。
【請求項５】
前記電源コード収納部は、前記収納延在部に加えて前記取手にも設けられていることを特徴とする請求項４に記載のホットプレート用収納ホルダ。
【請求項６】
前記電源コード収納部は、前記電源コードの電源プラグを収納する電源プラグ収納部を前記取手延在部に備えていることを特徴とする請求項４に記載のホットプレート用収納ホルダ。
【発明の詳細な説明】
【技術分野】
【０００１】
本発明は、ホットプレート本体と該ホットプレート本体に載置されるホットプレート部品を挟持するホットプレート用収納ホルダに係り、詳しくはコントローラも収納するホットプレート用収納ホルダに関するものである。
【背景技術】
【０００２】
ホットプレートは、ヒータによる加熱でお好み焼き、焼き肉、たこ焼き、シュウマイなどを調理することができる。このホットプレートは、外郭を構成するフレームと、このフレームに収容されてヒータからの熱を遮断する遮熱板と、ヒータを内蔵し遮熱板に載置され各種のプレートを支持する載せ替えプレートや受け皿と、蓋と、コントローラを有している。各種のプレートには平プレート、焼き肉プレート、たこ焼きプレート、蒸しプレートなどがある。コントローラは感熱棒と商用電源に接続される電源コードを有し、ヒータに接続され、プレート表面の温度を調節する。そして、ヒータは各種のプレートを加熱し、プレートに載せられた肉や野菜などの食材が調理される。
【０００３】
このホットプレートは、使用者が分離することができないホットプレート本体と、使用者が分離することができるホットプレート部品とからなる。分離可能な部品が多いホットプレートでは、ホットプレート本体はフレームのみで、ホットプレート部品は遮熱板、受け皿、載せ替えプレート、各種のプレート及び蓋となる。分離可能なホットプレート部品を設けることにより、使用者は調理後にホットプレート本体からそれぞれのホットプレート部品を取り外して、個別に洗浄などができるので後片付けがし易いなどの利点がある。
【０００４】
しかしながら、収納時のホットプレートは、ホットプレート本体に遮熱板、受け皿、載せ替えプレート、各種のプレート、及び蓋などのホットプレート部品を載置しただけのものであり、ホットプレートを傾斜させると載置されたホットプレート部品がホットプレート本体から離脱する。このために、梱包が容易ではないという問題があった。また、ホットプレートが天袋などの高い位置に収納されるときは載置されているホットプレート部品が頭上に落下する危険がある。また、ホットプレートを横向きに立て掛けることができず、ホットプレートの収納方法に制約があった。そこで、下記特許文献１には、ホットプレートが傾斜されてもホットプレート部品がホットプレート本体から離脱しないように、ホットプレート部品が挟持されるホットプレート用収納ホルダが考えられ、また、ホットプレートを横向きに立て掛けることができるようにする面あるいは足を設けることが開示されている。
【０００５】
また、ホットプレートは、重く、持ち運ぶときには両手が必要であるという短所があった。さらに、コントローラはホットプレート本体と別体であるので紛失しやすいという問題があった。使用者がコントローラを調理プレートと蓋の間に入れて収納することがあるが、この方法は遊動するコントローラによって調理プレートの表面が損傷する可能性がある。そこで、下記特許文献２には、ホットプレート用収納ホルダに取手を追加することが考えられ、また、コントローラをホットプレート用収納ホルダに取り付けることが開示されている。
【特許文献１】特開２００１−１７８６３１号公報
【特許文献２】特開２００２−１０９３１号公報
【発明の開示】
【発明が解決しようとする課題】
【０００６】
しかしながら、上記特許文献２に開示されているコントローラは、ホットプレート用収納ホルダの外側に設けられた凹部に嵌入され、電源コードはホットプレート用収納ホルダの外側に巻きつけられるものであった。このようにコントローラの一部や電源コードが露出しており、ホットプレートが持ち運ばれるときや、立て掛けられていたホットプレートが倒れたときにコントローラや電源コードが損傷する可能性が高いという問題があった。
【０００７】
本発明は、このような従来技術の問題点を解決するためになされたものであって、遮熱板、受け皿、蒸しプレート、載せ替えプレート、各種のプレート、及び蓋などのホットプレート部品がホットプレートから離脱しないように挟持され、且つ、片手で持ち運ぶことができるように取手を備えたホットプレート用収納ホルダにおいて、コントローラや電源コードが損傷しないように収納するホットプレート用収納ホルダを提供することを目的とする。
【課題を解決するための手段】
【０００８】
前記課題を解決するために、本発明の請求項１に記載の発明は、一対の第１、第２ホルダを有し、両ホルダで形成される空間部に、ホットプレート本体と、該ホットプレート本体に載置される１以上のホットプレート部品を収納するホットプレート用収納ホルダであって、ホットプレートの温度を調整するコントローラを収納するコントローラ収納部が前記空間部に設けられていることを特徴とする。
【０００９】
また、請求項２の発明は、請求項１に記載のホットプレート用収納ホルダにおいて、前記第１、第２ホルダには、一方に延在する収納延在部と、さらに一方に延在する取手延在部を設け、前記取手延在部に取手と、手を挿入する手挿入孔とを設け、前記コントローラは、凸部となる操作部を有し、前記コントローラ収納部は、前記操作部の収納位置が前記取手延在部の前記手挿入孔に隣接する位置に形成されていることを特徴とする。
【００１０】
また、請求項３の発明は、請求項２に記載のホットプレート用収納ホルダにおいて、前記第１、第２ホルダは、それぞれ前記コントローラの外形形状の凹部が形成されたリブを有し、前記コントローラの上下が前記凹部に嵌入されることにより２軸方向が拘持されていることを特徴とする。
【００１１】
また、請求項４の発明は、請求項２に記載のホットプレート用収納ホルダにおいて、前記コントローラに電源を供給する電源コードを収納する電源コード収納部が前記空間部に設けられていることを特徴とする。
【００１２】
また、請求項５の発明は、請求項４に記載のホットプレート用収納ホルダにおいて、前記電源コード収納部は、前記収納延在部に加えて前記取手にも設けられていることを特徴とする。
【００１３】
また、請求項６の発明は、請求項４に記載のホットプレート用収納ホルダにおいて、前記電源コード収納部は、前記電源コードの電源プラグを収納する電源プラグ収納部を前記取手延在部に備えていることを特徴とする。
【発明の効果】
【００１４】
本発明は上記構成を備えることにより、以下の優れた効果を奏する。すなわち、請求項１にかかる発明においては、コントローラ収納部がホットプレート用収納ホルダの空間部に設けられている。この構成によれば、コントローラが露出しないので、損傷から免れることができる。また、コントローラの摘みの設定位置のずれを低減することもできる。
【００１５】
請求項２にかかる発明においては、コントローラ収納部は操作部の収納位置が取手延在部の手挿入孔に隣接する位置に形成されている。この構成によれば、取手用の延在部に入る操作部の分だけ収納用の延在寸法を短くすることができる。
【００１６】
請求項３にかかる発明においては、第１、第２ホルダはそれぞれコントローラの外形形状の凹部が形成されたリブを有し、コントローラの上下が凹部に嵌入されることにより２軸方向が拘持されている。このような構成によれば、コントローラの２軸方向の遊動を確実に阻止することができる。また、使用者が凹部の形状を見ることによって、コントローラの収納位置を容易に知ることができる。
【００１７】
請求項４にかかる発明においては、電源コードを収納する電源コード収納部がコントローラ収納ホルダの空間部に設けられている。このような構成によれば、電源コードが収納ホルダ内にあるので、損傷から免れることができる。
【００１８】
請求項５にかかる発明においては、電源コード収納部は取手にも設けられている。このような構成によれば、取手を利用して電源コードの収納領域を拡大することができ、小型となる。
【００１９】
請求項６にかかる発明においては、電源コードの電源プラグを収納する電源プラグ収納部を取手延在部に備えている。このような構成によれば、電源プラグとホットプレートが確実に離間して、電源プラグによるホットプレートの損傷を防止することができる。
【発明を実施するための最良の形態】
【００２０】
以下、実施形態及び図面を参照して本発明を実施するための最良の形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。
【００２１】
図１は本発明の実施形態の概要を示す斜視図、図２はホットプレートおよびホットプレート用収納ホルダの分解斜視図、図３はホットプレートおよびホットプレート用収納ホルダの平面図、図４はホットプレートおよびホットプレート用収納ホルダの背面図、図５は図３のＶ−Ｖ線の右断面図、図６は図３のVI−VI線の左断面図、図７はコントローラの収納を示す平面図、図８はコントローラの収納を示す斜視図、図９はコントローラを示す斜視図である。図１０Ａは本発明の実施形態の第１変形例を示す右断面図であり、図１０Ｂは本発明の実施形態の第２変形例を示す右断面図である。
【００２２】
まず、本発明の実施形態に係るホットプレート用収納ホルダ３０に収納されるホットプレート１０について説明する。ホットプレート１０は、図２に示される収納順に記すと、電源コード１１（電源プラグ１２付き）が接続されたコントローラ１３と、ホットプレート１０の筐体であるフレーム１４と、遮熱板１５と、汁の受け皿１６と、発熱するヒータユニット１７と、ヒータユニット１７の発熱部分が開口した載せ替えプレート１８と、たこ焼きプレート１９と、焼き肉プレート２０と、平プレート２１と、蓋２２で構成されている。
【００２３】
図２に示すように、フレーム１４は耐熱性の合成樹脂材などで射出成形される上方が開口した浅底の箱体であり、ほぼ長方形の底板部１４ａと、この底板部１４ａの周囲から所定の高さで立設された側板部１４ｂを有している。底板部１４ａの中央には大きな放熱用の角孔１４ｃと、この角孔１４ｃの周囲に複数の放熱用の丸孔１４ｄと、４隅に背面に向かって樹脂が突出する円柱状の位置決め穴１４ｅと、後述の下ホルダ３１の４つの位置決め穴３１ｇに対応する位置に位置決め突起１４ｆ（図６参照）が形成され、これらの位置決め穴１４ｅに遮熱板１５の位置決め突起１５ｅが挿入されるようになっている。そして、短手の側板部１４ｂの一部に切欠き１４ｇが形成され、この切欠き１４ｇにヒータユニット１７の接続器１７ｂが配設されている。
【００２４】
遮熱板１５は、鉄板のプレス加工で形成されるほぼ上方が開口した浅底の箱体であり、ほぼ長方形の底板部１５ａと、この底板部１５ａの周囲から所定の高さで立設された側板部１５ｂを有している。底板部１５ａの表面に反射及び断熱処理が施されており、ヒータユニット１７からフレーム１４への熱が伝導し難くなっている。底板部１５ａには、フレーム１４の角孔１４ｃに嵌入する絞り加工の長方形の凹部１５ｃと、矩形状に突出して反射処理が施された突出部１５ｄと、フレーム１４の穴１４ｅに嵌入される位置決め突起１５ｅが形成されている。側板部１５ｂはフレーム１４の切欠き１４ｇに対応する箇所に切欠き１５ｆが形成されている。受け皿１６はアルミニウム板のプレス加工で形成される長方形の皿であり、補強や汁のたまりを作るための「０」字状の凸部１６ａを有している。
【００２５】
ヒータユニット１７はヒータ１７ａと接続器１７ｂを有している。ヒータ１７ａは、図２に示すように、１本の線状ヒータがループ状に屈曲されて４本の直線部所定の間隔をあけてほぼ平行に等間隔に配設される形状に形成されたものとなっている。このヒータ１７は、例えばシーズヒータが使用される。このシーズヒータは、所定太さの金属パイプ中にコイル状の電熱線を通し、パイプと電熱線間の接触を防ぐために酸化マグネシウムなどの耐熱性の無機質絶縁粉末を詰め金属パイプの両端を密封した構造となっている。この構造のシーズヒータは、金属パイプが絶縁されているので、仮に金属パイプに触れたとしても感電することはない。接続器１７ｂは安全機構（図示せず）を有してヒータ１７ａとコントローラ１３を電気的に接続する。
【００２６】
載せ替えプレート１８はアルミダイカストで形成される上方が開口した浅底の箱体であり、ほぼ長方形の底板部１８ａと、この底板部１８ａの周囲から所定の高さで立設された側板部１８ｂと、短手の側板部１８ｂに取り付けられる耐熱性の樹脂からなる一対の把持部１８ｃを有している。底板部１８ａにはヒータ１７ａからの発熱を通す角孔１８ｄが形成されている。
【００２７】
たこ焼きプレート１９は、アルミダイカストで形成され、長方形の形状をなしている。たこ焼きプレート１９は、マトリクス状に整列した半球の凹部１９ａと、長手方向に一対の把持部１９ｂを有している。焼き肉プレート２０はアルミダイカストで形成され、長方形の形状をなし、網状になっている。平プレート２１はアルミダイカストで形成されるほぼ上方が開口した浅底の箱体であり、ほぼ長方形の底板部２１ａと、この底板部２１ａの周囲から所定の高さで立設された側板部２１ｂと、短手の側板部２１ｂに取り付けられる耐熱性の樹脂からなる一対の把持部２１ｃを有している。蓋２２は印刷鋼板のプレス加工品であり、食材が入る空間部を設けて平プレート２１を覆う形状をなして中央に耐熱性の樹脂からなる把持部２２ａを有している。
【００２８】
コントローラ１３は、図９に示すように、ヒータユニット１７の接続器１７ｂの差込口１７ｃに挿入される大きさのプラグハウジング１３ａを有し、このプラグハウジング１３ａ内に、接続器１７ｂ内の一対のオス型端子１７ｄに差込まれるメス型端子１３ｂと、温度設定制御回路（不図示）などが収容されている。このプラグハウジング１３ａの外部には、温度センサ（不図示）を埋め込みプラグハウジング１３ａから所定長さで突出した棒状体からなる感熱棒１３ｃ及び温度設定用の摘み１３ｄが取付けられている。この温度設定用の摘み１３ｄを回動することにより好みの温度を選択することができるようになっている。メス型端子１３ｂには、電源プラグ１２を有する電源コード１１が接続されて、この電源コード１１が商用電源（家庭用の電源）に接続されるようになっている。
【００２９】
次に、ホットプレート１０を収納する本発明のホットプレート用収納ホルダ３０について説明する。ホットプレート用収納ホルダ３０は、図１、図２に示すように、下ホルダ３１と上ホルダ３２からなり、ホットプレート１０の短手方向を下ホルダ３１と上ホルダ３２で囲むようにホットプレート１０を挟持している。ホットプレート用収納ホルダ３０は、図６に示すように、ホットプレート１０の短手方向の一方にＬ１延在する収納延在部とさらにＬ２延在する取手延在部を有している。取手延在部には手を挿入する手挿入孔３０ａが開口されることにより取手３０ｂが形成されている。手挿入孔３０ａは下ホルダ３１の下手挿入孔３１ａと上ホルダ３２の上手挿入孔３２ａからなり、取手３０ｂは下ホルダ３１の下取手３１ｂと上ホルダ３２の上取手３２ｂからなる。なお、下ホルダ３１及び上ホルダ３２は、特許請求の範囲の第１、第２ホルダのいずれかを表している。
【００３０】
図３に示すように手挿入孔３０ａを上側としたとき、図１を参照してホットプレート用収納ホルダ３０は上側の両端に上方係合部３０ｃを備え、下側の両端に下方係合部３０ｄを備えている。上方係合部３０ｃは、上ホルダ３２から左右方向に突出して下ホルダ３１方向に約９０度回動可能で先端に上方係合凸部３２ｃを有する上方アーム３２ｄと、上方アーム３２ｄが約９０度回動したときに上方係合凸部３２ｃと係合する下ホルダ３１の上方係合凹部３１ｃからなる。図６に示すように、下方係合部３０ｄは、上ホルダ３２から下方向に突出して下ホルダ３１方向に約９０度回動可能で先端に下方係合凸部３２ｅを有する下方アーム３２ｆと、アーム３２ｆが約９０度回動したときに下方係合凸部３２ｅと係合する下ホルダ３１の下方係合凹部３１ｄからなる。
【００３１】
図７、図８に示すように、下ホルダ３１は合成樹脂材などで射出成形される上方が開口した浅底の箱体であり、ほぼ長方形で下取手３１ｂ部分が段差となった２段の底板部３１ｅと、この底板部３１ｅの周囲から所定の高さで立設された側板部３１ｆを有している。底板部３１ｅにはフレーム１４の底板部１３ａに設けられた位置決め突起１３ｆが嵌入する位置決め穴３１ｇが設けられている。また、図７に示すように、下手挿入孔３１ａを上側としたとき、下ホルダ３１の下方に底板部３１ｅと側板部３１ｆから立設されたフレーム受け下リブ３１ｈが２つ立設されており、底板部３１ｅの上方に金型の突き合わせで「Ｌ」字状（図５の右上参照）に形成された電源コード整形突起３１ｉが設けられており、電源コード整形突起３１ｉに一部が掛って「Ｔ」字形のフレーム受け上リブ３１ｊが立設されている。また、長手の底板部３１ｅにフレーム１４の外形形状の切欠き３１ｋが２つ設けられている。また、下ホルダ３１の収納延在部（Ｌ１）の下手挿入孔３１ａの横にコントローラ１３のプラグハウジング１３ａの外形形状の凹部が形成された第１位置決め下リブ３１ｍが２つと、感熱棒１３ｃの外形形状の凹部が形成された第２位置決め下リブ３１ｎが立設されている。図７に示すように、下ホルダ３１の取手延在部（Ｌ２）にコントローラ１３の摘み１３ｄと電源プラグ１２を受ける第３位置決め下リブ３１ｐが２つ立設されている。
【００３２】
上ホルダ３２は合成樹脂材などで射出成型される下方が開口した浅底の箱体であり、ほぼ長方形の底板部３２ｇと、この底板部３２ｇの周囲から所定の高さで立設された側板部３２ｈを有している。底板部３２ｇには蓋２２の把持部２２ａが嵌入される角孔３２ｉが設けられている。また、下ホルダ３１の第１位置決め下リブ３１ｍに対応して、上ホルダ３２の収納延在部（Ｌ１）の上手挿入孔３２ａの横にコントローラ１３のプラグハウジング１３ａの外形形状の凹部が形成された第１位置決め上リブ３２ｊが２つ立設されている。図示しないが、下ホルダ３１の第２位置決め下リブ３１ｎに対応して感熱棒１３ｃの外形形状の凹部が形成された第２位置決め上リブも立設されている。図６に示すように、上ホルダ３２の取手延在部（Ｌ２）に電源プラグ１２の上ホルダ３２側への遊動を阻止する電源プラグ受けリブ３２ｋが立設されている。
【００３３】
次に、収納方法について説明する。収納順は図２に示すとおりである。最初は下ホルダ３１の第１位置決め下リブ３１ｍ、第２位置決め下リブ３１ｎと第３位置決め下リブ３１ｐにコントローラ１３が嵌入される。このとき、第１位置決め下リブ３１ｍにはハウジング１３ａの外形形状の凹部が形成されているために、使用者はコントローラ１３の収納位置を容易に知ることができる。また、コントローラ１３のプラグハウジング１３ａは収納延在部（Ｌ１）に収納されるが、摘み１３ｄの大部分は取手延在部（Ｌ２）の下手挿入孔３１ａに隣接して収納されている。このために、摘み１３ｄが取手延在部（Ｌ２）に入り込んでいる分、収納延在部（Ｌ１）を短くすることができる。
【００３４】
コントローラ１３に接続されている電源コード１１は複数回巻いて束ねられ、束ねられた部分の一部が「Ｌ」字状の電源コード整形突起３１ｉに嵌入される。そして、図７に示すように、電源プラグ１２側の電源コード１１を収納延在部（Ｌ１）から取手延在部（Ｌ２）へと延ばし、下手挿入孔３１ａと側板部３１ｆの間を通って、すなわち、取手３０ｂを通って、電源コード１１が第３位置決め下リブ３１ｐと側板部３１ｆの間に収納される。このように、電源コード１１は取手３０ｂ内にも収容されるために、電源コード１１の収納体積を増加させることができる。また、電源プラグ１２はホットプレート１０と離間した取手延在部（Ｌ２）に収納されているので、電源プラグ１２によるホットプレート１０の損傷を防止することができる。
【００３５】
次に、下ホルダ３１の位置決め穴３１ｇに位置決め突起１４ｆ（図６参照）が合うようにフレーム１４が下ホルダ３１に載置され、フレーム１４の位置決め穴１４ｅに位置決め突起１５ｅが合うように遮熱板１５がフレーム１４に載置される。次に、遮熱板１５の凹部１５ｃに受け皿１６が載置され、フレーム１４の切欠き１４ｇに接続器１７ｂを合わせてヒータユニット１７が受け皿１６の上から載置され、その上から、載せ替えプレート１８が載置される。載せ替えプレート１８の角孔１８ｄに合わせてたこ焼きプレート１９と焼き肉プレート２０が載置され、その上から、平プレート２１が載置され、その上に蓋２２が載置される。そして、蓋２２の把持部２２ａが角孔３２ｉに嵌入するように、また、下ホルダ３１の下手挿入孔３１ａと上ホルダ３２の上手挿入孔３２ａの位置が一致するように上ホルダ３２が下ホルダ３１に嵌入され、上方アーム３２ｄと下方アーム３２ｆが回動されて上方係合凸部３２ｃが上方係合凹部３１ｃに係合し、下方係合凸部３２ｅが下方係合凹部３１ｄに係合することにより、ホットプレート１０が下ホルダ３１と上ホルダ３２によって挟持される。
【００３６】
このように、コントローラ収納部がホットプレート用収納ホルダ３０の内部に設けられているので、コントローラ１３の損傷を防止することができる。また、コントローラ１３の摘み１３ｄの設定位置のずれを低減することができる。また、電源コードもホットプレート用収納ホルダ３０の内部に設けられているので、電源コードの損傷も防止することができる。
【００３７】
上述のホットプレートは、使用者が分離することができないホットプレート本体はフレーム１４のみであり、使用者が分離することができるホットプレート部品は遮熱板１５、受け皿１６、ヒータユニット１７、載せ替えプレート１８、たこ焼きプレート１９、焼き肉プレート２０、平プレート２１、蓋２２とコントローラ１３であったが、本発明のホットプレート本体とホットプレート部品はこれに限定するものではなく、たとえば、ホットプレート本体にヒータユニット１７や載せ替えプレート１８が含まれているホットプレートのホットプレート用収納ホルダにも、また、ホットプレート部品に蒸しプレートが追加されているホットプレートのホットプレート用収納ホルダにも本発明を適用することができる。
【００３８】
なお、図１０Ａ、図１０Ｂに示すように、上述の実施形態のホットプレート用収納ホルダ３０はコントローラ１３の摘み１３ｄと、電源コード１１の一部と、電源プラグ１２が取手延在部（Ｌ２）に収納されているが、これらは全て収納延在部に収納されてもよい。図１０Ａのホットプレート用収納ホルダ４０は手挿入孔が形成されていない下ホルダ４１と手挿入孔４０ａが形成されている上ホルダ４２からなり、両ホルダ４１，４２は嵌合して空間部を形成し、該空間部にホットプレート１０と電源コード１１付きコントローラ１３が収納されている。尚、両ホルダ４１，４２は図示しない４つの係合部で係合されている。図１０Ｂのホットプレート用収納ホルダ５０は下手挿入孔５１ａが形成されている下ホルダ５１と上手挿入孔５２ａが形成されている上ホルダ５２からなり、下手挿入孔５１ａと上手挿入孔５２ａで手挿入孔５０ａを構成する。下ホルダ５１の下手挿入孔５１ａ側の側板部５１ｂの立ち上がりを傾斜させて下手挿入孔５１ａ側の収容部を広くし、そこにコントローラ１３が収容されている。電源コード１１は下ホルダ５１の底板部５１ｃの方向に延在し、電源コード１１は下ホルダ５１の底板部５１ｃ側に収容されている。このように、図１０Ａのホットプレート用収納ホルダ４０と図１０Ｂのホットプレート用収納ホルダ５０はいずれも電源コード１１付きコントローラ１３の全部が収納延在部に収納されており、コントローラ１３と電源コード１１の損傷を防止することができる。
【図面の簡単な説明】
【００３９】
【図１】図１は本発明の実施形態のホットプレートおよびホットプレート用収納ホルダの概要を示す斜視図である。
【図２】図２は本発明のホットプレートおよびホットプレート用収納ホルダの分解斜視図である。
【図３】図３は本発明のホットプレートおよびホットプレート用収納ホルダの平面図である。
【図４】図４は本発明のホットプレートおよびホットプレート用収納ホルダの背面図である。
【図５】図５は図３のＶ−Ｖ線の右断面図である。
【図６】図６は図３のVI−VI線の左断面図である。
【図７】図７は本発明の実施形態のコントローラの収納を示す平面図である。
【図８】図８は本発明の実施形態のコントローラの収納を示す斜視図である。
【図９】図９は本発明の実施形態のコントローラを示す斜視図である。
【図１０】図１０Ａは本発明の実施形態の第１変形例を示す右断面図であり、図１０Ｂは本発明の実施形態の第２変形例を示す右断面図である。
【符号の説明】
【００４０】
１０  ホットプレート
１１  電源コード
１２  電源プラグ
１３   コントローラ
１３ａ  プラグハウジング
１３ｃ  感熱棒
１３ｄ  摘み
１４  フレーム
１５  遮熱板
１７  ヒータユニット
１８  載せ替えプレート
１９  たこ焼きプレート
２０  焼き肉プレート
２１  平プレート
２２  蓋
２２ａ  把持部
３０  ホットプレート用収納ホルダ
３０ａ  手挿入孔
３０ｂ  取手
３０ｃ  上方係合部
３０ｄ  下方係合部
３１  下ホルダ
３１ａ  下手挿入孔
３１ｂ  下取手
３１ｃ  上方係合凹部
３１ｄ  下方係合凹部
３１ｈ  フレーム受け下リブ
３１ｉ  電源コード整形突起
３１ｍ  第１位置決め下リブ
３１ｎ  第２位置決め下リブ
３１ｐ  第３位置決め下リブ
３２  上ホルダ
３２ａ  上手挿入孔
３２ｂ  上取手
３２ｃ  上方係合凸部
３２ｄ  上方アーム
３２ｅ  下方係合凸部
３２ｆ  下方アーム
３２ｊ  第１位置決め上リブ
３２ｋ  電源プラグ受けリブ
【図１】
2010136998.tif 000003
【図２】
2010136998.tif 000004
【図３】
2010136998.tif 000005
【図４】
2010136998.tif 000006
【図５】
2010136998.tif 000007
【図６】
2010136998.tif 000008
【図７】
2010136998.tif 000009
【図８】
2010136998.tif 000010
【図９】
2010136998.tif 000011
【図１０】
2010136998.tif 000012